(57)【特許請求の範囲】
【請求項１】
雪から保護すべき樹木の近傍位置に立設される支柱体と、該支柱体の上部に取り付けられ、樹木の枝を吊下する紐体を吊下可能な紐吊下体と、該枝を載置する載置部及び紐体に対して係脱動作可能な紐係脱部をもつ紐係止体とからなり、上記紐係止体は、上記載置部の両側部に上記紐係脱部を配置してなることを特徴とする雪吊り具。
【請求項２】
上記紐係止体の紐係脱部を係脱動作させる係脱操作体を備えてなることを特徴とする請求項１記載の雪吊り具。
【請求項３】
上記紐吊下体は、上記支柱体の上端部に被嵌可能な被嵌部と、該被嵌部の周面に突設され、複数本の紐体を折返吊下可能な複数個の吊下凸部と、該被嵌部に外嵌着される紐保持部とからなることを特徴とする請求項１又は２記載の雪吊り具。
【請求項４】
上記紐係脱部に紐体を挟着釈放可能な複数個の弾性爪体を備えてなることを特徴とする請求項１〜３のいずれか１項に記載の雪吊り具。
【請求項５】
上記紐係脱部に紐体を挟着釈放可能な楔機構を備えてなることを特徴とする請求項１〜３のいずれか１項に記載の雪吊り具。
【発明の詳細な説明】
【０００１】
【発明の属する技術分野】
本発明は降雪時に樹木の枝を守るために樹木の枝を吊って枝の折れを防止する際に用いられる雪吊り具に関するものである。
【０００２】
【従来の技術】
従来、雪国においては、降雪時に樹木の枝を守るために樹木の枝を縄等の吊り紐で吊って枝の折れを防止するようにしている。
【０００３】
【発明が解決しようとする課題】
しかしながらこの従来構造の場合、縄やロープの縛着作業は熟練を要すると共に厄介であって手間が掛かり、大変な作業となることがあり、又、取り外しも手間の掛かる厄介な作業となることがあるという不都合を有している。
【０００４】
【課題を解決するための手段】
本発明はこのような不都合を解決することを目的とし、本発明のうちで、請求項１記載の発明は、雪から保護すべき樹木の近傍位置に立設される支柱体と、該支柱体の上部に取り付けられ、樹木の枝を吊下する紐体を吊下可能な紐吊下体と、該枝を載置する載置部及び紐体に対して係脱動作可能な紐係脱部をもつ紐係止体とからなり、上記紐係止体は、上記載置部の両側部に上記紐係脱部を配置してなることを特徴とする雪吊り具
ることを特徴とする雪吊り具にある。
【０００５】
又、請求項２記載の発明は、上記紐係止体の紐係脱部を係脱動作させる係脱操作体を備えてなることを特徴とするものであり、又、請求項３記載の発明は、上記紐吊下体は、上記支柱体の上端部に被嵌可能な被嵌部と、該被嵌部の周面に突設され、複数本の紐体を折返吊下可能な複数個の吊下凸部と、該被嵌部に外嵌着される紐保持部とからなることを特徴とするものであり、請求項４記載の発明は、上記紐係脱部に紐体を挟着釈放可能な複数個の弾性爪体を備えてなることを特徴とするものであり、又、請求項５記載の発明は、上記紐係脱部に紐体を挟着釈放可能な楔機構を備えてなることを特徴とするものである。
【０００６】
【発明の実施の形態】
図１乃至図１１は本発明の実施の形態例を示し、図１乃至図７は第一形態例、図８乃至図１１は第二形態例である。
【０００７】
図１乃至図７の第一形態例において、１は支柱体であって、木材、合成樹脂、金属等により製作され、この場合、木材ポールが用いられ、雪から保護すべき樹木Ｗの近傍位置に杭Ｋ等により立設される。
【０００８】
２は紐吊下体であって、支柱体１の上部に取り付けられ、この場合、上記支柱体１の上端部に被嵌可能な有底筒状の被嵌部２ａと、この被嵌部２ａの周面に突設され、複数本の紐体Ｈを折返吊下可能な複数個の吊下凸部２ｂと、この被嵌部２ａに外嵌着される紐保持部２ｃとからなり、被嵌部２ａと紐保持部２ｃとはボルトナット２ｄにより着脱自在に設けられている。
【０００９】
しかして、図２の如く、ボルトナット２ｄを取り外して被嵌部２ａから紐保持部２ｃを取り外し、複数個の吊下凸部２ｂに複数本の紐体Ｈを折返して掛け、紐保持部２ｃを被嵌部２ａに外嵌着し、図３の如く、ボルトナット２ｄにより被嵌部２ａに紐保持部２ｃを取り付け、図１の如く、被嵌部２ａを支柱体１の上端部に載置嵌合し、複数個の紐体Ｈは紐体Ｈの両端部Ｈ１・Ｈ１が地上の作業者に届く長さに垂下されることになる。
【００１０】
３は紐係止体であって、上記樹木Ｗの枝Ｗ１を載置する載置部４及び載置部４の両側部に配置してなる紐体Ｈに対して係脱動作可能な紐係脱部５とを備えてなり、この場合、筒体５ａの外周面に三個の突出窓部５ｂを形成し、突出窓部５ｂに自己弾性を有する弾性爪体５ｃを嵌合し、弾性爪体５ｃの外面にテーパー面５ｄを形成し、筒体５ａの上部に筒状のキャップ体５ｅを固着し、キャップ体５ｅの端面に当接可能な係止リング５ｆを筒体５ａに挿通配置し、弾性爪体５ｂの内周面に紐体Ｈに挟着釈放可能な係止爪５ｇを形成し、弾性爪体５ｃの下端部を操作筒体５ｈに立設固定し、弾性爪体５ｃを筒体５ａの内周面に摺動自在に設けて構成している。
【００１１】
しかして、図５の如く、操作筒体５ｈを筒体５ａに対して下方に離反移動させた釈放状態において、紐吊下体２の吊下凸部２ｂにより折り返された紐体Ｈの両紐部Ｈを二つの紐係脱部５・５内に挿通し、図６の如く、操作筒体５ｈを筒体５ａに対して接近押し上げ移動させると、弾性爪体５ｃのテーパー面５ｄが係止リング５ｆに当接し、弾性爪体５ｃはテーパー作用により内方に向けて反り動作し、各係止爪５ｇは紐体Ｈに圧接され、これにより紐吊下体２と紐体Ｈと一体に固定されることになる。
【００１２】
６は係脱操作体であって、この場合、地上の作業者が保護すべき枝Ｗ１の近くに届く長さの長尺の握持杆６ａの上端部に操作筒体５ｈを押上移動可能な押圧部材６ｂを取付け、押圧部材６ｂに折り返された紐体Ｈが位置する逃げ部６ｃ・６ｃを形成し、かつ、押圧部材６ｂに載置部４の下面を押上可能な押上片６ｄを形成すると共に操作筒体５ｈを引き下げ移動可能な引下片６ｅを形成し、引下片６ｅにより操作筒体５ｈを引き下げて筒体５ａに対して離反移動させることにより係止固定を解除して紐体Ｈを釈放するように構成している。
【００１３】
この実施の第一形態例は上記構成であるから、雪から保護すべき樹木Ｗの近傍位置に支柱体１を立設し、支柱体１の上部に紐吊下体２を取付け、紐吊下体２から一本の紐体Ｈを折り返した紐体Ｈの両端部Ｈ１を紐係止体３の両紐係脱部５にそれぞれ挿通し、紐体Ｈの下部を引っ張った状態で係脱操作体６の押上片６ｄにより載置部４の下面を押し上げて紐係止体３を紐体Ｈに沿って上方に押し上げ位置移動し、載置部４上に保護すべき枝Ｗ１が当接したら、係脱操作体６の押圧部材６ａにより操作筒体５ｈを押し上げ、操作筒体５ｈが筒体５ａの底面に対して近接移動することにより紐体Ｈに対して紐係脱部５を係止動作させ、この係止動作により紐体Ｈと紐係止体３とは一体に固定され、紐体Ｈは紐吊下体２と載置部４との間で緊張状態となり、しかして、図１の如く、枝Ｗ１は紐体Ｈにより吊下され、枝Ｗ１を積雪の自重等から保護することができ、このため、縄やロープの縛着作業を必要とせずに、短時間で容易に雪吊り作業を行うことができ、又、冬期間外の不使用時においては、容易に分解してコンパクトに収納保管することができ、使用の利便性を高めることができる。
【００１４】
又、この場合、上記紐係止体３の紐係脱部５を係脱動作させる係脱操作体６を備えてなるから、紐係脱部５を紐体Ｈに沿って上方に押し上げる係脱操作及び載置部４を紐体Ｈに沿って押し上げて位置移動させる操作を地上において行うことができ、又、この場合、上記紐吊下体２は、支柱体１の上端部に被嵌可能な被嵌部２ａと、被嵌部２ａの周面に突設され、複数本の紐体Ｈを折返吊下可能な複数個の吊下凸部２ｂと、被嵌部２ａに外嵌着される紐保持部２ｃとからなるので、複数本の紐体Ｈを吊下することができ、複数個の枝Ｗ１を吊下することができ、又、この場合、上記紐係止体３は、上記載置部４の両側部に上記紐係脱部５を配置してなるから、一本の折り返された紐体Ｈのそれぞれの紐部を載置部４の両側位置で二つの紐係脱部５・５により係脱することができ、枝Ｗ１を安定的に吊下することができ、又、この場合、上記紐係脱部５に紐体Ｈを挟着釈放可能な複数個の弾性爪体５ｃを備えてなるから、紐係止体３と紐体Ｈとを強固に固定することができ、確実に紐体Ｈを吊下することができる。
【００１５】
図８乃至図１１の第二形態例は紐係止体３及び係脱操作体６の別例構造を示し、この場合、紐係止体１３は、上記樹木Ｗの枝Ｗ１を載置する載置部１４及び載置部１４の両側部に配置してなる紐体Ｈに対して挟着釈放可能な楔機構Ｋをもつ紐係脱部１５とを備えてなり、この場合、二個の筒体１６ａ・１６ａ間に間隔調整用の筒体１６ｂを配置してこの三部材を一体に形成してなる摺動体１６を形成し、一方、この筒体１６ａ・１６ａに挿通可能な楔杆１７ａ・１７ａの上部間に上記載置部１４を架設すると共に下部間に連結杆１７ｂを架設してなる楔部材１７を形成し、楔杆１７ａ・１７ａの外側面に上に向くに従って幅厚となる勾配面からなる楔面１７ｃ・１７ｃを形成し、かつ、筒体１６ａ・１６ａ・１６ｂに長円リング状の押上部材１８を固着して構成している。
【００１６】
しかして、図９の如く、摺動体１６を楔部材１７に対して下方に位置させた釈放状態において、紐吊下体２の吊下凸部２ｂにより折り返された紐体Ｈの両端部Ｈ１を二つの紐係脱部５・５の楔面１７ｂ・１７ｂと筒体１６ａ・１６ａの内周面との間の挟着間隙Ｒに挿通し、図１１の如く、摺動体１６を楔部材１７に対して押し上げ移動させると、勾配面からなる楔面１７ｂ・１７ｂと筒体１６ａ・１６ａの内周面との間の挟着間隙Ｒが狭まることにより紐体Ｈは挟着され、これにより紐吊下体２と紐体Ｈと一体に固定されることになる。
【００１７】
１９は係脱操作体であって、この場合、地上の作業者が保護すべき枝Ｗ１の近くに届く長さの長尺の握持杆１９ａの上端部に楔部材１７の押上部材１８を押上移動及び引下移動可能な押圧部材１９ｂ・１９ｂを取付け、押圧部材１９ｂ・１９ｂに折り返された紐体Ｈが位置する逃げ部１９ｃ・１９ｃを形成し、かつ、楔部材１７の連結杆１７ｂの底面を押し上げ可能な押上片１９ｄを形成し、押圧部材１９ｂ・１９ｂにより押上部材１８を押し上げ又は引き下げ移動させることにより紐体Ｈを挟着釈放するように構成している。
【００１８】
この実施の第二形態例は上記構成であるから、雪から保護すべき樹木Ｗの近傍位置に支柱体１を立設し、支柱体１の上部に紐吊下体２を取付け、紐吊下体２から一本の紐体Ｈを折り返した紐体Ｈの両端部Ｈ１を紐係止体１３の両紐係脱部１５にそれぞれ挿通し、紐体Ｈの下部を引っ張った状態で係脱操作体１９の押上片１９ｄにより連結杆１７ｂの底面を押し上げて紐係止体１３を紐体Ｈに沿って上方に押し上げ位置移動し、載置部１４上に保護すべき枝Ｗ１が当接したら、係脱操作体１９の押圧部材１９ｂにより押上部材１８を押し上げ、摺動体１６を上昇移動することにより紐体Ｈに対して紐係脱部１５を係止動作させ、この係止動作により紐体Ｈと紐係止体１３とは一体に固定され、紐体Ｈは紐吊下体１２と載置部１４との間で緊張状態となり、しかして、図１の如く、枝Ｗ１は紐体Ｈにより吊下され、枝Ｗ１を積雪の自重等から保護することができ、このため、縄やロープの縛着作業を必要とせずに、短時間で容易に雪吊り作業を行うことができ、又、冬期間外の不使用時においては、容易に分解してコンパクトに収納保管することができ、使用の利便性を高めることができ、上記第一形態例と同様な作用効果を得ることができると共に上記紐係脱部１５・１５に紐体Ｈを挟着釈放可能な楔機構Ｋを備えてなるから、楔作用により紐係止体１３と紐体Ｈとを強固に固定することができ、確実に紐体Ｈを吊下することができる。
【００１９】
尚、本発明は上記実施の形態例に限らず、支柱体１及び紐吊下体２、紐係止体３、載置部４、楔機構Ｋ等の個数や形態や構造、大きさ、等は適宜変更して設計される。
【００２０】
【発明の効果】
本発明は上述の如く、請求項１記載の発明にあっては、雪から保護すべき樹木の近傍位置に支柱体を立設し、支柱体の上部に紐吊下体を取付け、紐吊下体から吊下された紐体に紐係止体の紐係脱部を挿通し、紐係止体を紐体に沿って上方に押し上げ位置移動し、載置部上に枝が当接した状態で紐体に対して紐係脱部を係止させることにより、紐体と紐係止体とは一体に固定され、紐体は紐吊下体と載置部との間で緊張され、しかして、枝は紐体により吊下され、枝を積雪の自重等から保護することができ、このため、縄やロープの縛着作業を必要とせずに、短時間で容易に雪吊り作業を行うことができ、冬期間外の不使用時においては、容易に分解してコンパクトに収納保管することができ、使用の利便性を高めることができ、かつ、上記紐係止体は、上記載置部の両側部に上記紐係脱部を配置してなるから、一本の折り返された紐体のそれぞれの紐部を載置部の両側位置で二つの紐係脱部により係脱することができ、枝を安定的に吊下することができる。
【００２１】
又、請求項２記載の発明にあっては、上記紐係止体の紐係脱部を係脱動作させる係脱操作体を備えてなるから、係脱操作を地上において行うことができ、又、請求項３記載の発明にあっては、上記紐吊下体は、支柱体の上端部に被嵌可能な被嵌部と、被嵌部の周面に突設され、複数本の紐体を折返吊下可能な複数個の吊下凸部と、被嵌部に外嵌着される紐保持部とからなるので、複数本の紐体を吊下することができ、複数個の枝を吊下することができ、又、請求項４記載の発明にあっては、上記紐係脱部に紐体を挟着釈放可能な複数個の弾性爪体を備えてなるから、紐係止体と紐体とを強固に固定することができ、確実に紐体を吊下することができ、又、請求項５記載の発明にあっては、上記紐係脱部に紐体を挟着釈放可能な楔機構を備えてなるから、楔作用により紐係止体と紐体とを強固に固定することができ、確実に紐体を吊下することができる。
【００２２】
以上所期の目的を充分達成することができる。
【図面の簡単な説明】
【図１】  本発明の実施の第一形態例の全体斜視図である。
【図２】  本発明の実施の第一形態例の部分分解斜視図である。
【図３】  本発明の実施の第一形態例の部分断面図である。
【図４】  本発明の実施の第一形態例の部分斜視図である。
【図５】  本発明の実施の第一形態例の部分断面図である。
【図６】  本発明の実施の第一形態例の部分断面図である。
【図７】  本発明の実施の第一形態例の部分平断面図である。
【図８】  本発明の実施の第二形態例の部分斜視図である。
【図９】  本発明の実施の第二形態例の部分断面図である。
【図１０】  本発明の実施の第二形態例の部分平断面図である。
【図１１】  本発明の実施の第二形態例の部分断面図である。
【符号の説明】
Ｗ  樹木
Ｈ  紐体
Ｋ  楔機構
１  支柱体
２  紐吊下体
２ａ  被嵌部
２ｂ  吊下凸部
２ｃ  紐保持部
３  紐係止体
４  載置部
５  紐係脱部
６  係脱操作体
１３  紐係止体
１４  載置部
１５  紐係脱部
１９  係脱操作体
【図１】
0004623408.tif 000002
【図２】
0004623408.tif 000003
【図３】
0004623408.tif 000004
【図４】
0004623408.tif 000005
【図５】
0004623408.tif 000006
【図６】
0004623408.tif 000007
【図７】
0004623408.tif 000008
【図８】
0004623408.tif 000009
【図９】
0004623408.tif 000010
【図１０】
0004623408.tif 000011
【図１１】
0004623408.tif 000012